(57)【要約】【課題】無線通信システムで、発信時や着信時における通信のための処理を高速化する。【解決手段】移動局装置（ＰＳ）２は、位置登録時に識別情報と秘匿鍵情報を送信し、認証鍵情報を用いた演算結果の情報を記憶する。基地局装置（ＣＳ）１は、受信した秘匿鍵情報と識別情報を対応付けて記憶し、認証鍵情報を用いた演算結果の情報を記憶する。ＰＳは、発信時又は着信時に、演算結果の情報を送信する。ＣＳは、受信した演算結果の情報と記憶された演算結果の情報に基づいて認証を行う。ＰＳ及びＣＳは、記憶された秘匿鍵情報を用いて暗号化通信を行う。【選択図】  図１
2008306282.tif 000002
【特許請求の範囲】
【請求項１】
基地局装置と移動局装置とが無線により通信する無線通信システムにおいて、
前記移動局装置は、前記基地局装置に対する位置登録時に当該移動局装置の識別情報と通信の暗号化に使用する秘匿鍵情報を前記基地局装置に対して無線送信する位置登録時送信手段と、当該移動局装置の認証鍵情報を記憶する移動局認証鍵記憶手段と、当該移動局装置の秘匿鍵情報を記憶する移動局秘匿鍵記憶手段と、前記移動局認証鍵記憶手段に記憶された認証鍵情報を用いて所定の演算を行う移動局演算手段と、前記移動局演算手段により得られた演算結果の情報を記憶する移動局演算結果記憶手段と、を備え、
前記基地局装置は、前記移動局装置の位置登録時に前記移動局装置から前記識別情報と前記秘匿鍵情報を受信する位置登録時受信手段と、前記位置登録時受信手段により受信された秘匿鍵情報を前記位置登録時受信手段により受信された識別情報と対応付けて記憶する基地局秘匿鍵記憶手段と、移動局装置の識別情報に対応付けて認証鍵情報を記憶する基地局認証鍵記憶手段と、前記基地局認証鍵記憶手段に記憶された認証鍵情報を用いて所定の演算を行う基地局演算手段と、前記基地局演算手段により得られた演算結果の情報を前記位置登録時受信手段により受信された識別情報と対応付けて記憶する基地局演算結果記憶手段と、を備え、
前記移動局装置は、発信時又は着信時の一方又は両方に前記移動局演算結果記憶手段に記憶された演算結果の情報を前記基地局装置に対して無線送信する通信時送信手段を備え、
前記基地局装置は、前記移動局装置の発信時又は着信時の一方又は両方に前記移動局装置から前記演算結果の情報を受信する通信時受信手段と、前記通信時受信手段により受信された演算結果の情報と前記基地局演算結果記憶手段に記憶された前記移動局装置の識別情報に対応する演算結果の情報に基づいて前記移動局装置の認証を行う認証手段と、を備え、
前記移動局装置は、前記移動局秘匿鍵記憶手段に記憶された秘匿鍵情報を用いて前記基地局装置との間で暗号化通信を行う移動局通信手段を備え、
前記基地局装置は、前記基地局秘匿鍵記憶手段に記憶された秘匿鍵情報を用いて当該秘匿鍵情報に対応する識別情報の移動局装置との間で暗号化通信を行う基地局通信手段を備えた、
ことを特徴とする無線通信システム。
【発明の詳細な説明】
【技術分野】
【０００１】
本発明は、無線通信システムに関し、特に、発信時や着信時における通信のための処理を高速化した無線通信システムに関する。
【背景技術】
【０００２】
図１５には、従来の無線内線電話システム（ＰＨＳを用いたシステム）の一例を示してある。
本例の無線内線電話システムは、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）の通信機能やＰＨＳ（Ｐｅｒｓｏｎａｌ  Ｈａｎｄｙ  ｐｈｏｎｅ  Ｓｙｓｔｅｍ）の通信機能を有する基地局装置（ＣＳ：Ｃｅｌｌ  Ｓｔａｔｉｏｎ）１０１と、ＰＨＳの通信機能を有する移動局装置（ＰＳ：Ｐｅｒｓｏｎａｌ  Ｓｔａｔｉｏｎ）１０２と、ＩＳＤＮルータ１０３と、ＬＡＮ（Ｌｏｃａｌ  Ａｒｅａ  Ｎｅｔｗｏｒｋ）から構成されたＩＰ（Ｉｎｔｅｒｎｅｔ  Ｐｒｏｔｏｃｏｌ）ネットワーク１０４を備えている。
【０００３】
ＣＳ１０１とＰＳ１０２との間では、ＰＨＳ方式により無線の通信が行われる。
ＣＳ１０１とＩＳＤＮルータ１０３との通信ではＩＳＤＮ電話番号が用いられ、ＩＳＤＮルータ１０３とＬＡＮ１０４との通信ではＩＰアドレスが用いられ、ゲートウェイの機能が設けられている。
【０００４】
従来では、無線内線電話システムにおいて、交換機を介さずに直接的にＣＳ１０１からＬＡＮ１０４に直接接続する場合には、ＣＳ１０１からＩＳＤＮルータ１０３を介してＬＡＮ１０４に接続することが一般的に行われており、このＩＳＤＮルータ１０３での変換が接続時の遅延要因の一つとなっている。
【０００５】
図１６には、ＰＳ１０２とサーバが通信する際のプロトコルの一例を示してある。
レイヤ１（Ｌ１）では、ＰＳ１０２とＣＳ１０１との間でＰＨＳのプロトコル（ＲＣＲ  ＳＴＤ−２８）が用いられ、ＣＳ１０１とＩＳＤＮルータ１０３との間でＩＳＤＮのプロトコル（ＩＳＤＮ電話回線起動）が用いられ、ＩＳＤＮルータ１０３とＩＰネットワーク１０４との間でＥｔｈｅｒｎｅｔ（登録商標）のプロトコルが用いられる。
【０００６】
レイヤ２（Ｌ２）では、ＰＳ１０２とＣＳ１０１との間でＰＩＡＦＳ（ＰＨＳ  Ｉｎｔｅｒｎｅｔ  Ａｃｃｅｓｓ  Ｆｏｒｕｍ  Ｓｔａｎｄａｒｄ）のプロトコルが用いられ、ＣＳ１０１とＩＳＤＮルータ１０３との間でＬＡＰＢ（Ｌｉｎｋ  Ａｃｃｅｓｓ  Ｐｒｏｃｅｄｕｒｅ  Ｂａｌａｎｃｅｄ）、ＬＡＰＤ（Ｌｉｎｋ  Ａｃｃｅｓｓ  Ｐｒｏｃｅｄｕｒｅ  ｆｏｒ  ｔｈｅ  Ｄ−Ｃｈａｎｎｅｌ）のプロトコルが用いられ、ＩＳＤＮルータ１０３とＩＰネットワーク１０４との間でＭＡＣ（Ｍｅｄｉａ  Ａｃｃｅｓｓ  Ｃｏｎｔｒｏｌ）のプロトコルが用いられる。
また、レイヤ２（Ｌ２）では、ＰＳ１０２とＩＳＤＮルータ１０３との間でＰＰＰ（Ｐｏｉｎｔ−ｔｏ−Ｐｏｉｎｔ  Ｐｒｏｔｏｃｏｌ）のプロトコル（ＰＰＰネゴシエーション）が用いられる。
【０００７】
レイヤ３（Ｌ３）では、ＰＳ１０２とＩＰネットワーク１０４との間でＩＰのプロトコル（ＩＰ接続）が用いられる。
ここで、レイヤ２の上のプロトコルを見ると、ＰＳ１０２とＩＳＤＮルータ１０３との間でＰＰＰのセッションを張り、その上でＩＰを用いてＰＳ１０２とサーバとの間の通信が行われる。
この通信路では、無線区間が隘路となっているが、この部分でＰＰＰを用いることで更に通信が遅延する原因となっている。
【０００８】
図１７には、ＣＳ１０１の構成例及びＰＳ１０２の構成例を示してある。
ＣＳ１０１は、無線モジュール（ＲＦ）１１１と、制御プログラム１１２と、記憶領域１１３を備えている。
ＰＳ１０２は、無線モジュール（ＲＦ）１２１と、制御プログラム１２２と、記憶領域１２３を備えている。
ここで、ＣＳ１０１やＰＳ１０２の構成は、概略的には、後述する実施例に係る図５に示されるＣＳ１やＰＳ２と比べて、拡張された記憶領域１４、２４が備えられていない点で異なっている。
【０００９】
図１８には、ＰＳ１０２とＣＳ１０１との間で行われる位置登録処理のシーケンスの一例を示してある。このシーケンスは、概略的には、後述する実施例に係る図６に示されるシーケンスと比べて、（８）、（９）、（１２）の処理が設けられない点で異なっている。
図１９には、ＰＳ１０２とＣＳ１０１との間で行われる位置登録処理のフローの一例を示してある。このフローは、概略的には、後述する実施例に係る図７に示されるフローと比べて、Ｃ３、Ｐ４、Ｐ５の処理が設けられず、Ｐ４の処理の代わりに位置登録要求電文を送信する処理Ｐ１０１が設けられている点で異なっている。
【００１０】
図２０には、ＰＳ１０２とＣＳ１０１との間で行われる発信処理のシーケンスの一例を示してある。
（１）ＰＳ１０２がリンクチャネル確立要求のための信号を無線送信し、（２）ＣＳ１０１がリンクチャネル割当のための信号を無線送信し、（３）ＰＳ１０２が同期バーストの信号を無線送信し、（４）ＣＳ１０１が同期バーストの信号を無線送信し、（５）ＰＳ１０２がＳＡＢＭ（Ｓｅｔ  Ａｓｙｎｃｈｒｏｎｏｕｓ  Ｂａｌａｎｃｅｄ  Ｍｏｄｅ）の信号を無線送信し、（６）ＣＳ１０１がＵＡ（Ｕｎｎｕｍｂｅｒｅｄ  Ａｃｋｎｏｗｌｅｄｇｅｍｅｎｔ）の信号を無線送信し、（７）ＰＳ１０２が呼設定のための信号を無線送信し、（８）ＣＳ１０１が呼設定受付のための信号を無線送信し、（９）ＰＳ１０２が秘匿鍵設定のための信号を無線送信し、（１０）ＣＳ１０１が認証要求のための信号を無線送信し、（１１）ＰＳ１０２が認証応答のための信号を無線送信し、（１２）ＣＳ１０１がＤＩＳＣ（Ｄｉｓｃｏｎｎｅｃｔ）のための信号を無線送信し、（１３）ＰＳ１０２がＵＡの信号を無線送信し、（１４）ＣＳ１０１が呼出のための信号を無線送信し、（１５）ＣＳ１０１が応答のための信号を無線送信する。
【００１１】
図２１には、ＰＳ１０２とＣＳ１０１との間で行われる着信処理のシーケンスの一例を示してある。
（１）ＣＳ１０１が着呼の信号を無線送信し、（２）ＰＳ１０２がリンクチャネル確立要求のための信号を無線送信し、（３）ＣＳ１０１がリンクチャネル割当のための信号を無線送信し、（４）ＰＳ１０２が同期バーストの信号を無線送信し、（５）ＣＳ１０１が同期バーストの信号を無線送信し、（６）ＰＳ１０２がＳＡＢＭの信号を無線送信し、（７）ＣＳ１０１がＵＡの信号を無線送信し、（８）ＰＳ１０２が着呼応答の信号を無線送信し、（９）ＣＳ１０１が呼設定のための信号を無線送信し、（１０）ＰＳ１０２が呼設定受付のための信号を無線送信し、（１１）ＰＳ１０２が秘匿鍵設定のための信号を無線送信し、（１２）ＣＳ１０１が認証要求のための信号を無線送信し、（１３）ＰＳ１０２が認証応答のための信号を無線送信し、（１４）ＰＳ１０２が呼出のための信号を無線送信し、（１５）ＰＳ１０２が応答のための信号を無線送信し、（１６）ＣＳ１０１が応答確認のための信号を無線送信し、（１７）ＣＳ１０１がＤＩＳＣのための信号を無線送信し、（１８）ＰＳ１０２がＵＡの信号を無線送信する。
【００１２】
【特許文献１】特開平１０−３０３９２３号公報
【特許文献２】特開２００５−１８４０５３号公報
【発明の開示】
【発明が解決しようとする課題】
【００１３】
上述のように、図１５に示されるような従来の無線内線電話システムでは、図１６に示されるようなプロトコルが用いられており、通信が遅いといった問題があった。
本発明は、このような従来の事情に鑑み為されたもので、発信時や着信時における通信のための処理を高速化することができる無線通信システムを提供することを目的とする。
【課題を解決するための手段】
【００１４】
上記目的を達成するため、本発明では、基地局装置と移動局装置とが無線により通信する無線通信システムにおいて、次のような構成とした。
すなわち、前記移動局装置では、位置登録時送信手段が、前記基地局装置に対する位置登録時に、当該移動局装置の識別情報と通信の暗号化に使用する秘匿鍵情報を前記基地局装置に対して無線送信する。移動局認証鍵記憶手段が、当該移動局装置の認証鍵情報を記憶する。移動局秘匿鍵記憶手段が、当該移動局装置の秘匿鍵情報を記憶する。移動局演算手段が、前記移動局認証鍵記憶手段に記憶された認証鍵情報を用いて所定の演算を行う。移動局演算結果記憶手段が、前記移動局演算手段により得られた演算結果の情報を記憶する。
前記基地局装置では、位置登録時受信手段が、前記移動局装置の位置登録時に、前記移動局装置から前記識別情報と前記秘匿鍵情報を受信する。基地局秘匿鍵記憶手段が、前記位置登録時受信手段により受信された秘匿鍵情報を前記位置登録時受信手段により受信された識別情報と対応付けて記憶する。基地局認証鍵記憶手段が、移動局装置の識別情報に対応付けて認証鍵情報を記憶する。基地局演算手段が、前記基地局認証鍵記憶手段に記憶された認証鍵情報を用いて所定の演算を行う。基地局演算結果記憶手段が、前記基地局演算手段により得られた演算結果の情報を前記位置登録時受信手段により受信された識別情報と対応付けて記憶する。
【００１５】
また、前記移動局装置では、通信時送信手段が、発信時又は着信時の一方又は両方に、前記移動局演算結果記憶手段に記憶された演算結果の情報を前記基地局装置に対して無線送信する。
前記基地局装置では、通信時受信手段が、前記移動局装置の発信時又は着信時の一方又は両方に、前記移動局装置から前記演算結果の情報を受信する。認証手段が、前記通信時受信手段により受信された演算結果の情報と前記基地局演算結果記憶手段に記憶された前記移動局装置の識別情報に対応する演算結果の情報に基づいて、前記移動局装置の認証を行う。
【００１６】
そして、前記移動局装置では、移動局通信手段が、前記移動局秘匿鍵記憶手段に記憶された秘匿鍵情報を用いて、前記基地局装置との間で暗号化通信を行う。
前記基地局装置では、基地局通信手段が、前記基地局秘匿鍵記憶手段に記憶された秘匿鍵情報を用いて、当該秘匿鍵情報に対応する識別情報の移動局装置との間で暗号化通信を行う。
【００１７】
従って、移動局装置が基地局装置に対して位置登録する際に、移動局装置の認証鍵情報に基づく演算結果の情報を移動局装置と基地局装置で記憶しておき、移動局装置からの発信時や移動局装置への着信時に、この記憶された演算結果の情報を用いて基地局装置が移動局装置を認証することにより、例えば、移動局装置からの発信時や移動局装置への着信時に、認証のための演算処理などを行う処理手順が用いられる場合と比べて、処理を簡略化することができ、通信のための処理を高速化することができる。
また、移動局装置が基地局装置に対して位置登録する際に、移動局装置の秘匿鍵情報を基地局装置に登録しておき、移動局装置からの発信時や移動局装置への着信時に、この記憶された秘匿鍵情報を用いて暗号化通信を行うことにより、例えば、移動局装置からの発信時や移動局装置への着信時に、移動局装置から基地局装置へ秘匿鍵情報を送信する処理手順が用いられる場合と比べて、処理を簡略化することができ、通信のための処理を高速化することができる。
【００１８】
ここで、基地局装置や、移動局装置や、無線通信システムとしては、種々なものが用いられてもよい。一例として、ＰＨＳのシステムに適用することができ、或いは、他の種々なシステムに適用されてもよい。
また、移動局装置の識別情報としては、種々なものが用いられてもよく、例えば、各移動局装置毎に固有な番号の情報などを用いることができる。例えば、基地局装置は、各移動局装置の識別情報と対応付けて、各移動局装置に関する各種の情報を記憶する。
【００１９】
また、移動局装置の秘匿鍵情報としては、種々な情報が用いられてもよく、例えば、位置登録毎に更新されてもよい。
また、移動局装置の認証鍵情報としては、種々な情報が用いられてもよく、例えば、予め移動局装置と基地局装置に共通に設定され、或いは、任意のタイミングで更新されてもよい。
【００２０】
また、移動局装置の認証鍵情報を用いて行われる所定の演算としては、種々な演算が用いられてもよく、例えば、基地局装置により発生させられる乱数の情報（情報値）と移動局装置の認証鍵情報（情報値）をパラメータとして用いて所定の演算式を計算するような演算を用いることができ、この場合、基地局装置は、乱数の情報を生成する手段や、生成した乱数の情報を移動局装置へ送信する手段を備え、また、移動局装置は、基地局装置から乱数の情報を受信する手段を備える。
また、移動局装置において行われる認証鍵情報を用いた所定の演算と、基地局装置において行われる認証鍵情報を用いた所定の演算としては、例えば、同一の演算が行われ、この場合、移動局装置と基地局装置とで同一の演算結果の情報が得られて記憶される。
【００２１】
また、各種の記憶手段としては、例えば、情報を記憶するメモリを用いて構成することができる。
また、移動局装置や基地局装置において、認証鍵情報を用いて所定の演算を行うタイミングや、演算結果の情報を記憶するタイミングとしては、特に限定はなく、例えば、位置登録時のタイミングが用いられてもよく、或いは、その後における任意のタイミングが用いられてもよい。このようなタイミングとしては、発信時又は着信時より前のタイミングとすると、予め演算結果の情報を記憶しておくことができて、好ましい。
【００２２】
また、移動局装置と基地局装置に記憶された演算結果の情報を用いて認証を行うことは、例えば、発信時又は着信時の一方のみで行われてもよく、或いは、両方で行われてもよい。また、このような発信時又は着信時の認証処理を行うか或いは他の発信時又は着信時の認証処理（例えば、従来と同様な処理）を行うかを、各基地局装置毎や各移動局装置毎に異ならせることも可能であり、また、各基地局装置毎や各移動局装置毎に、通信状況などに応じて、実行する処理のシーケンスを切り替えることが可能な構成とすることもできる。
【００２３】
また、移動局装置から基地局装置へ通知された当該移動局装置の演算結果の情報と、基地局装置に記憶された当該移動局装置に対応した演算結果の情報に基づいて認証を行う手法としては、種々な手法が用いられてもよく、例えば、移動局装置と基地局装置とで同一の演算結果の情報が記憶される場合には、基地局装置では、両方の演算結果の情報が一致した場合にはその移動局装置について認証成功とし、両方の演算結果の情報が一致しなかった（不一致であった）場合にはその移動局装置について認証失敗とすることができる。例えば、認証が成功した場合には通信処理（発信処理や着信処理）が継続して行われ、認証が失敗した場合には通信処理（発信処理や着信処理）が中止される。
【発明の効果】
【００２４】
以上説明したように、本発明に係る無線通信システムによると、移動局装置が基地局装置に対して位置登録する際に、移動局装置の認証鍵情報に基づく演算結果の情報を移動局装置と基地局装置で記憶しておき、移動局装置からの発信時や移動局装置への着信時に、この記憶された演算結果の情報を用いて基地局装置が移動局装置を認証することにより、例えば、移動局装置からの発信時や移動局装置への着信時に、認証のための演算処理などを行う処理手順が用いられる場合と比べて、処理を簡略化することができ、通信のための処理を高速化することができる。
また、移動局装置が基地局装置に対して位置登録する際に、移動局装置の秘匿鍵情報を基地局装置に登録しておき、移動局装置からの発信時や移動局装置への着信時に、この記憶された秘匿鍵情報を用いて暗号化通信を行うことにより、例えば、移動局装置からの発信時や移動局装置への着信時に、移動局装置から基地局装置へ秘匿鍵情報を送信する処理手順が用いられる場合と比べて、処理を簡略化することができ、通信のための処理を高速化することができる。
【発明を実施するための最良の形態】
【００２５】
本発明に係る実施例を図面を参照して説明する。
図１には、本発明の一実施例に係る無線内線電話システム（ＰＨＳを用いたシステム）の構成例を示してある。
本例の無線内線電話システムは、ＩＥＥＥ８０２．３の通信機能やＰＨＳの通信機能を有する基地局装置（ＣＳ）１と、ＰＨＳの通信機能を有する移動局装置（ＰＳ）２と、ＬＡＮから構成されたＩＰネットワーク３を備えている。
なお、ＣＳ１やＰＳ２の数としては任意であってもよく、通常、１つのＣＳ１に複数のＰＳ２が収容（位置登録）されることが可能である。
【００２６】
ここで、ＣＳ１は、ＰＨＳとＬＡＮの双方のインターフェースを有しており、双方の通信を行うことが可能である。
ＣＳ１とＰＳ２との間では、ＰＨＳ方式により無線の通信が行われ、データなどを通信することが可能である。
ＣＳ１とＬＡＮ３とは有線又は無線で接続されており、ＣＳ１とＬＡＮ３との通信ではＩＰアドレスが用いられる。
【００２７】
図２には、ＣＳ１やＰＳ２に設けられるデータテーブルの一例を示してある。
（１）ＰＳ番号のデータは、ＰＳ２の特定に使用されるキーであり、ＣＳ１のメモリに記憶される。
（２）高速可否のデータは、高速発着信に対応しているかいないかを識別するものであり、ＣＳ１とＰＳ２の双方のメモリに記憶される。このデータは、本例では、ＣＳ１の側では、予め登録されており、又は、位置登録時にＰＳ２から秘匿鍵を送信してくるかどうかで対応する。
（３）接続方式のデータは、ＰＰＰ接続であるか或いは無手順接続であるかを識別するものであり、ＣＳ１のメモリに記憶される。このデータは、例えば、ＰＳ２毎に設定しない場合には、ＣＳ１で別テーブルに記憶する。
【００２８】
（４）ＩＰアドレスのデータは、ＰＨＳがサーバとの送受信に使用するものであり、ＣＳ１のメモリに記憶される。
（５）秘匿鍵のデータは、通信の暗号化に使用され、位置登録毎に更新され、ＣＳ１とＰＳ２の双方のメモリに記憶される。本例では、高速不可のＰＳ２の秘匿鍵は（本例では、位置登録時には）保存しない。
（６）認証鍵演算結果のデータは、端末（本例では、ＰＳ２）の認証に使用され、位置登録毎に更新され、ＣＳ１とＰＳ２の双方のメモリに記憶される。
【００２９】
図３には、ＰＳ２とサーバが通信する際のプロトコルの一例を示してある。
レイヤ１（Ｌ１）では、ＰＳ２とＣＳ１との間でＰＨＳのプロトコル（ＲＣＲ  ＳＴＤ−２８）が用いられ、ＣＳ１とＩＰネットワーク３との間でＥｔｈｅｒｎｅｔ（登録商標）のプロトコルが用いられる。
レイヤ２（Ｌ２）では、ＰＳ２とＣＳ１との間でＰＩＡＦＳのプロトコルが用いられ、ＣＳ１とＩＰネットワーク３との間でＭＡＣのプロトコルが用いられる。
レイヤ３（Ｌ３）では、ＰＳ２とＣＳ１との間で無手順のプロトコルが用いられ、ＣＳ１とＩＰネットワーク３との間でＩＰのプロトコル（ＩＰ接続）が用いられる。
【００３０】
図３に示されるプロトコルの例では、登録されたＰＳ２からのＰＩＡＦＳのデータをＴＣＰ（Ｔｒａｎｓｍｉｓｓｉｏｎ  Ｃｏｎｔｒｏｌ  Ｐｒｏｔｏｃｏｌ）／ＩＰ又はＵＤＰ（Ｕｓｅｒ  Ｄａｔａｇｒａｍ  Ｐｒｏｔｏｃｏｌ）／ＩＰのパケットでカプセル化して、データテーブルに従って予め登録されたサーバヘ送信する。また、サーバからＰＳ２用に登録されたＩＰへのＩＰパケットのデータ部分をＰＩＡＦＳのデータとしてＰＳ２へ送信する。
【００３１】
図４には、ＰＳ２とサーバが通信する際のプロトコルの他の一例を示してある。本例では、図１６に示される既存のシステムでの論理形態と同様な接続形態を使用している。
レイヤ１（Ｌ１）では、ＰＳ２とＣＳ１との間でＰＨＳのプロトコル（ＲＣＲ  ＳＴＤ−２８）が用いられ、ＣＳ１とＩＰネットワーク３との間でＥｔｈｅｒｎｅｔ（登録商標）のプロトコルが用いられる。
【００３２】
レイヤ２（Ｌ２）では、ＰＳ２とＣＳ１との間でＰＩＡＦＳのプロトコルが用いられ、ＣＳ１とＩＰネットワーク３との間でＭＡＣのプロトコルが用いられる。
また、レイヤ２（Ｌ２）では、ＰＳ２とＣＳ１との間でＰＰＰのプロトコルが用いられる。
レイヤ３（Ｌ３）では、ＰＳ２とＩＰネットワーク３との間でＩＰのプロトコル（ＩＰ接続）が用いられる。
この場合、ＣＳ１は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）機能を有しており、ＰＰＰ接続の際には動的或いは静的にＩＰアドレスが付与される機能を有している。
【００３３】
ここで、ＣＳ１は、ネットワークシステム的に見て、ルータの機能を果たしている。
ＣＳ１は、ＰＳ２とＩＰアドレスの対応表を有しており、この対応表に登録されたＩＰアドレス宛のデータを受け取ったときに、対応するＰＨＳ（ＰＳ２）に対して自動的に着信や接続の処理を行う。
【００３４】
以上のように、本例の無線内線電話システムでは、ＰＨＳのデータとＬＡＮのデータを直接変換するため、例えば、図１５に示されるような従来のシステムと比べて、ＩＳＤＮ変換のオーバーヘッドを無くすことができる。また、例えば図３に示されるような接続のサポートにより、ＰＰＰ接続や変換のオーバーヘッドを無くすことができ、全体として通信の高速化を図ることができる。
【００３５】
以下で、更に、本例の無線内線電話システムについて説明する。
ＣＳ１は、ＰＳ２の位置登録時に秘匿鍵を受け取ってその秘匿鍵をＰＳ２毎に記憶する機能と、当該ＣＳ１への位置登録時の認証情報などを記憶する機能と、ＰＳ２に対して報知情報により高速発着信に対応していることを通知する機能を有する。
ＰＳ２は、ＣＳ１から報知情報により高速発着信に対応していることの通知を受ける機能と、高速発着信のシーケンスやメッセージ（電文）に対応する機能を有している。
【００３６】
図５には、ＣＳ１の構成例及びＰＳ２の構成例を示してある。
ＣＳ１は、無線モジュール（ＲＦ）１１と、制御プログラム１２と、記憶領域１３と、拡張された記憶領域１４を備えている。
ＰＳ２は、無線モジュール（ＲＦ）２１と、制御プログラム２２と、記憶領域２３と、拡張された記憶領域２４を備えている。
ここで、ＣＳ１及びＰＳ２は、図２に示されるようなデータを記憶する機能を有する。
【００３７】
ＣＳ１において、無線モジュール１１は他の同様のモジュールと無線の接続を行う機能を有しており、制御プログラム１２は無線モジュール１１を制御してその上で他のＰＳ２等との通信を行う機能（例えば、無線制御ドライバ、認証処理、通話処理、その他の機能）を有しており、記憶領域１３は制御プログラム１２が使用するパラメータを保存する機能を有している。記憶領域１３には、登録されたＰＳ２毎の認証鍵や、システムＩＤ（Ｓｙｓｔｅｍ−ＩＤ）などが保存されている。また、拡張された記憶領域１４には、位置登録時にそのＰＳ２とＣＳ１とが遣り取りした認証鍵演算結果や秘匿鍵（登録済み秘匿鍵）などが保存される。
【００３８】
ＰＳ２において、無線モジュール２１は他の同様のモジュールと無線の接続を行う機能を有しており、制御プログラム２２は無線モジュール２１を制御してその上で他のＰＳ２等との通信を行う機能（例えば、無線制御ドライバ、認証処理、通話処理、その他の機能）を有しており、記憶領域２３は制御プログラム２２が使用するパラメータを保存する機能を有している。記憶領域２３には、そのＰＳ２の認証鍵や、システムＩＤ（Ｓｙｓｔｅｍ−ＩＤ）などが保存されている。また、拡張された記憶領域２４には、位置登録時にそのＰＳ２とＣＳ１とが遣り取りした認証鍵演算結果や秘匿鍵（登録済み秘匿鍵）などが保存される。
【００３９】
次に、位置登録動作について説明する。
図６には、ＰＳ２とＣＳ１との間で行われる位置登録処理のシーケンスの一例を示してある。
（１）まず、ＰＳ２は、ＣＳ１にリンク設定の要求のために、リンクチャネル確立要求の信号を無線送信する。
（２）それを受けて、ＣＳ１は、ＰＳ２に空きキャリア番号を教えるために、リンクチャネル割当の信号を無線送信する。
（３）ＰＳ２は、ＣＳ１から指定されたチャネルに切り替えるために、周波数及び時間的な同期を確実にとるために用いられる同期バーストの信号を無線送信する。
（４）同様に、ＣＳ１は、ＰＳ２に同期バーストの信号を無線送信する。このように、同期バーストの信号は、互いに送信される。
（５）ＰＳ２は、ＳＡＢＭコマンドの信号を無線送信する。
（６）ＣＳ１は、応答として、ＵＡレスポンスの信号を無線送信して返す。
以上で通信リンクが確立する。
【００４０】
（７）ＰＳ２は、ＣＳ１に対して位置登録要求メッセージの信号を無線送信することによって位置登録を開始する。
（８）本例では、ＰＳ２は、前記した位置登録要求メッセージと共に、秘匿鍵設定メッセージの信号を無線送信する。
（９）位置登録要求メッセージの信号を受信したＣＳ１は、ＰＳ２毎に受信した秘匿鍵（ＰＳ番号に対応する秘匿鍵）を記憶する。
【００４１】
（１０）ＣＳ１（網）は、認証処理として、認証乱数を発生し、認証要求メッセージの信号をＰＳ２に無線送信して乱数を通知する。
（１１）これを受信したＰＳ２は、乱数と自装置（当該ＰＳ２）が持つ認証鍵を用いて演算を実行し、認証応答メッセージの信号を用いてその演算結果（認証鍵演算結果）をＣＳ１（網）に通知する。
これを受信したＣＳ１は、同様に、認証乱数とシステムに登録された認証鍵を用いて得られた認証鍵演算結果とＰＳ２から通知された認証鍵演算結果とが一致するか否かを判定する。
（１２）また、ＣＳ１は、ＰＳ２毎に認証処理で使用した認証鍵演算結果を記憶する。
（１３）ＣＳ１は、認証処理により位置登録が正常に終了したとき、位置登録受付メッセージの信号をＰＳ２に無線送信する。
【００４２】
（１４）次に、リンクを切断するために、ＣＳ１は、ＤＩＳＣコマンドの信号をＰＳ２に無線送信する。
（１５）ＰＳ２は、応答としてＵＡレスポンスの信号を無線送信してを返す。
（１６）ＣＳ１は、それを受けて、無線チャネルを解放するために、無線チャネル切断のための信号を無線送信する。
（１７）ＰＳ２は、無線チャネル切断完了の信号を無線送信して返し、待ち受けに戻る。
【００４３】
図７には、ＰＳ２とＣＳ１との間で行われる位置登録処理のフローの一例を示してある。
ＰＳ２により位置登録のための処理が開始されると（処理Ｐ１）、まず、ＰＳ２とＣＳ１のリンクチャネルを確立する（処理Ｐ２、処理Ｃ１）。
ＰＳ２は、自装置のＰＳ番号を記憶しており（処理Ｐ３）、ＣＳ１へ位置登録要求電文を送信し、当該位置登録要求電文と共に秘匿鍵設定電文を送信する（処理Ｐ４）。
【００４４】
位置登録要求電文を受信したＣＳ１は、図８に示されるような認証処理を行う（処理Ｃ２）。
ＰＳ２は、秘匿鍵設定電文で送信した通信暗号化用の秘匿鍵と、認証で送信した認証鍵演算結果を記憶する（処理Ｐ５）。
ＣＳ１も、同様に、ＰＳ２毎に受信した秘匿鍵と認証処理で使用した認証鍵演算結果を記憶する（処理Ｃ３）。
認証が完了すると、ＣＳ１は位置登録受付をＰＳ２に送信し、位置登録は完了する（処理Ｐ６）。
【００４５】
ここで、図１９に示されるような従来の位置登録処理のシーケンスでは位置登録時に秘匿鍵は送信されないため、本例では、位置登録時に秘匿鍵設定電文を送信してきた端末（本例では、ＰＳ２）は高速着信対応端末であると判断して記憶する。
また、本例では、認証鍵演算結果は位置登録毎に更新されるため、通信の安全は従来とほぼ同等に保証される。
【００４６】
図８には、ＰＳ２とＣＳ１との間で行われる通常の認証処理のフローの一例を示してある。
ＣＳ１側が認証処理を開始すると（処理Ｃ１１）、ＣＳ１は、まず、認証乱数を生成し（処理Ｃ１２）、それを認証要求電文でＰＳ２へ送信する（処理Ｃ１３）。
ＰＳ２は、認証乱数を取得し（処理Ｐ１１）、認証鍵を記憶しており（処理１２）、受け取った乱数と自装置（当該ＰＳ２）が持つ認証鍵を演算して（処理Ｐ１３）、演算結果を認証要求応答電文でＣＳ１側に通知する（処理Ｐ１４）。
【００４７】
ＣＳ１は、例えば予めＰＳ２の認証鍵を記憶しており（処理Ｃ１４）、認証乱数とシステムに登録された認証鍵を用いて演算を行う（処理Ｃ１５）。
また、ＣＳ１は、ＰＳ２から演算結果を受信し（処理Ｃ１６）、ＰＳ２から通知された演算結果と自装置（ＣＳ１）により得られた演算結果とを比較（照合）して、認証結果を判定する（処理Ｃ１７）。これにより、例えば、両方の演算結果が一致した場合に認証成功が判定され（処理Ｃ１８）、両方の演算結果が不一致であった場合に認証失敗が判定される（処理Ｃ１９）。
【００４８】
次に、ＣＳ１からＰＳ２への報知について説明する。
高速発信に対応したＣＳ１と対応していないＣＳ１が混在している環境である場合、ＰＳ２の側においても、ＣＳ１が高速発信に対応しているか否かを判断する必要がある。
図９（ａ）、（ｂ）、（ｃ）には、ＣＳ１からＰＳ２への報知の動作の一例を示してある。
図９（ａ）において、ＣＳ１はＰＳ２毎の秘匿鍵や認証鍵演算結果を保存しており、ＰＳ２は自己の秘匿鍵や認証鍵演算結果を保存している。ＰＳ２は、ＣＳ１に対して、位置登録の要求や秘匿鍵などを送信する。
【００４９】
図９（ｂ）において、ＣＳ１は、例えば定期的に送出している報知メッセージで、ＰＳ２に対して、自装置（当該ＣＳ１）が高速発信に対応していることを通知する。具体例として、ＣＳ１は、オプション報知情報メッセージにより、本ＣＳ１が高速データ発着信に対応していることを各ＰＳ２に報知する。この場合、各ＰＳ２は、位置登録中であるＣＳ１が高速発信に対応していることを記憶する。この記憶内容は、ＰＳ２の位置登録先が変更されると消去される。
【００５０】
図９（ｃ）において、ＰＳ２は、ＣＳ１が高速発信に対応している場合には高速発信処理のシーケンスを使用し、ＣＳ１が高速発信に対応していない場合には通常の発信処理のシーケンスを使用する。これにより、ＰＳ２は、認証等を簡略化した独自シーケンスを用いることが可能である。
【００５１】
次に、高速発着信について説明する。
図１０には、ＰＳ２とＣＳ１との間で行われる高速発信処理のシーケンスの一例を示してある。
（１）ＰＳ２がリンクチャネル確立要求のための信号を無線送信し、（２）ＣＳ１がリンクチャネル割当のための信号を無線送信し、（３）ＰＳ２が同期バーストの信号を無線送信し、（４）ＣＳ１が同期バーストの信号を無線送信し、（５）ＰＳ２がＳＡＢＭの信号を無線送信し、（６）ＣＳ１がＵＡの信号を無線送信する。
（７）ＰＳ２が高速データ呼設定のための信号を無線送信し、（８）ＣＳ１が認証鍵演算結果を参照し、（９）ＣＳ１が高速データ呼設定受付のための信号を無線送信する。
（１０）ＣＳ１がＤＩＳＣ（Ｄｉｓｃｏｎｎｅｃｔ）のための信号を無線送信し、（１１）ＰＳ２がＵＡの信号を無線送信し、（１２）例えば、記憶されていた秘匿鍵で暗号化して、通信が行われる。
【００５２】
図１１には、ＰＳ２とＣＳ１との間で行われる高速着信処理のシーケンスの一例を示してある。
（１）ＣＳ１が着呼の信号を無線送信し、（２）ＰＳ２がリンクチャネル確立要求のための信号を無線送信し、（３）ＣＳ１がリンクチャネル割当のための信号を無線送信し、（４）ＰＳ２が同期バーストの信号を無線送信し、（５）ＣＳ１が同期バーストの信号を無線送信し、（６）ＰＳ２がＳＡＢＭの信号を無線送信し、（７）ＣＳ１がＵＡの信号を無線送信し、（８）ＰＳ２が着呼応答の信号を無線送信し、（９）ＣＳ１が高速データ呼設定のための信号を無線送信し、（１０）ＰＳ２が高速データ呼設定受付のための信号を無線送信する。
（１１）ＣＳ１がＤＩＳＣのための信号を無線送信し、（１２）ＰＳ２がＵＡの信号を無線送信する。
これにより、例えば、記憶されていた秘匿鍵で暗号化して、通信が行われる。
【００５３】
図１２には、ＰＳ２とＣＳ１との間で行われる高速発信の認証処理のフローの一例を示してある。
ＰＳ２は、認証の演算結果（認証鍵演算結果）を記憶しており（処理Ｐ２１）、その演算結果を含む高速呼設定電文をＣＳ１へ送信する（処理Ｐ２２）。
ＣＳ１は、認証の演算結果（認証鍵演算結果）を記憶しており（処理Ｃ２１）、ＰＳ２から高速呼設定電文を受信して（処理Ｃ２２）、受信した演算結果と記憶していた演算結果を照合する（処理Ｃ２３）。これにより、例えば、両方の演算結果が一致した場合に認証成功が判定され（処理Ｃ２４）、両方の演算結果が不一致であった場合に認証失敗が判定される（処理Ｃ２５）。
【００５４】
図１３には、高速データ呼設定の電文フォーマットの一例を示してある。なお、ＰＳ２からＣＳ１への方向を上りとし、ＣＳ１からＰＳ２への方向を下りとする。
情報要素として、プロトコル識別子（両方向）、呼番号（両方向）、メッセージ種別（両方向）、発番号（両方向）、着番号（両方向）、ＰＳ番号（上り）、認証鍵演算結果（上り）がある。
図１４には、高速データ呼設定受付の電文フォーマットの一例を示してある。
情報要素として、プロトコル識別子（両方向）、呼番号（両方向）、メッセージ種別（両方向）、認証鍵演算結果（上り）がある。
【００５５】
ここで、図２０に示されるような従来の発信処理のシーケンスでは、リンクが確立した後に、ＰＳ２は呼設定電文をＣＳ１へ送信して、呼設定の開始を通知するとともに、宛先、発信元の情報をＣＳ１（網側）へ通知する（処理７）。呼設定電文を受け取ったＣＳ１は要求された呼設定が開始されたことを示すために、呼設定受付電文をＰＳ２へ送信する（処理８）。その後、ＰＳ２は、秘匿鍵設定電文により秘匿鍵をＣＳ１へ送信する（処理９）。これに応じて、ＣＳ１は、位置登録処理と同様に認証を行う（処理１０）。
【００５６】
これに対して、図１０に示されるような本例の高速データ発信処理のシーケンスでは、リンクが確立した後に、ＰＳ２は位置登録処理で保存した認証鍵演算結果を載せた高速データ呼設定電文をＣＳ１へ送信し（処理７）、ＣＳ１は高速データ呼設定電文を受信すると保存していた当該ＰＳ２の認証鍵演算結果と受信した認証鍵演算結果とを比較することで認証を行い（処理８）、高速データ呼設定受付電文をＰＳ２へ送信する（処理９）。
【００５７】
本例では、ＰＳ２は、自装置（当該ＰＳ２）が高速データ発着信に対応したＣＳ１の配下に位置登録しているときには、図１０に示されるような高速データ発信処理のシーケンスを用いて発信する。本シーケンスでは、図１３に示されるような高速データ呼設定メッセージで発信や認証を行い、また、認証についても位置登録時に予め演算した結果の比較で行うため、通常の発信処理のシーケンスと比べて、少ない時間でシーケンスを終了して、データ通信へ移行することができる。
【００５８】
本例では、ＣＳ１は、高速データ発着信に対応したＰＳ２に対して着信させるときには、図１１に示されるような高速データ着信処理のシーケンスを用いて着信処理を行う。本シーケンスにおいても、発信と同様に、通常の着信処理のシーケンスと比べて、少ない時間でデータ通信へ移行することができる。
【００５９】
具体的には、図２１に示されるような従来の着信処理のシーケンスでは、リンクの前にまず着呼メッセージがＣＳ１からＰＳ２へ送信され（処理１）、リンクが確立すると、ＰＳ２はＣＳ１へ着呼応答メッセージを返す（処理８）。その後、ＣＳ１から呼設定電文が送信され（処理９）、ＰＳ２は呼設定受付電文を返し（処理１０）、以降は概略的には発信処理と同様となる。
これに対して、図１１に示されるような本例の着信処理のシーケンスでは、発信処理と同様に、例えばＣＳ１がＰＳ２から受信した高速データ呼設定受付電文に含まれる当該ＰＳ２の認証鍵演算結果と当該ＣＳ１に保存されている当該ＰＳ２の認証鍵演算結果を用いて認証を行うことにより、呼設定及び呼設定受付より以降の処理（例えば、秘匿鍵設定の処理や、認証のための煩雑な処理）を省略して、全体として処理を圧縮することができる。
【００６０】
以上のように、本例の無線内線電話システム（ＰＨＳを用いたシステム）では、移動局装置（ＰＳ）２から交換機に接続することなく（つまり、交換機を介さずに）、基地局装置（ＣＳ）１がＩＰネットワーク（ＬＡＮ）３に接続して通信する構成を有しており、一般的なＩＳＤＮルータを介してＬＡＮ３に接続するのではなく、直接的にＬＡＮ３に接続することができるプロトコル変換機能をＣＳ１が有している。
一例として、本例のＣＳ１では、ネットワーク層においてＰＳ２と当該ＣＳ１との間は無手順でのデータ転送を行い、当該ＣＳ１でＩＰパケットにデータを載せて予め設定されたサーバと通信する機能を有している。
他の一例として、本例のＣＳ１では、当該ＣＳ１でＰＰＰの終端を行い、端末とサーバとの間でＩＰ接続を可能とする機能を有している。
なお、これらの処理では、例えば、図２に示される接続方式やＩＰアドレスに関するパラメータが使用される。
また、本例の無線内線電話システムでは、ＰＳ２とＣＳ１がデータ通信の接続を行う際に、簡略化した高速な接続シーケンスを用いる。
【００６１】
従って、本例では、ＬＡＮ直収型の基地局装置（ＣＳ）１を有するＰＨＳのシステムにおいて、データ発信やデータ着信を高速化して、通信の高速化を図ることができる。
具体的には、接続時間の大幅な縮小が見込める。また、本例における追加のメッセージは全て従来の規格（ＡＲＩＢ  ＳＴＤ−２８）の範囲内であるため、例えば、従来のシーケンスを邪魔せずに、従来のシステムと共存することが可能である。
このように、本例では、例えば従来のシステムにおける接続や通信の遅延を解消し、ＰＨＳのデータ発着信及び通信の高速化を可能として、より高速なＰＨＳのデータ通信システムを実現することができる。また、本例のシステムは、既存の発着信を阻害しないため、既存のデータ通信システムと共存することもできる。
【００６２】
なお、本例の移動局装置（ＰＳ）２では、位置登録時に自装置の識別情報（本例では、ＰＳ番号の情報）と秘匿鍵の情報を基地局装置（ＣＳ）１へ送信する機能により位置登録時送信手段が構成されており、自装置の認証鍵の情報をメモリ（本例では、記憶領域２３）に記憶する機能により移動局認証鍵記憶手段が構成されており、自装置の秘匿鍵の情報をメモリ（本例では、拡張された記憶領域２４）に記憶する機能により移動局秘匿鍵記憶手段が構成されており、自装置の認証鍵の情報やＣＳ１から通知された乱数の情報を用いて所定の演算を行う機能により移動局演算手段が構成されており、当該演算結果（本例では、認証鍵演算結果）の情報をメモリ（本例では、拡張された記憶領域２４）に記憶する機能により移動局演算結果記憶手段が構成されており、発信時に図１０に示される高速データ呼設定電文により演算結果の情報をＣＳ１へ送信する機能或いは着信時に図１１に示される高速データ呼設定受付電文により演算結果の情報をＣＳ１へ送信する機能により通信時送信手段が構成されており、秘匿鍵の情報を用いて暗号化通信を行う機能により移動局通信手段が構成されている。
【００６３】
また、本例の基地局装置（ＣＳ）１では、位置登録時にＰＳ２から識別情報（本例では、ＰＳ番号の情報）と秘匿鍵の情報を受信する機能により位置登録時受信手段が構成されており、ＰＳ２の秘匿鍵の情報を識別情報と対応付けてメモリ（本例では、拡張された記憶領域１４）に記憶する機能により基地局秘匿鍵記憶手段が構成されており、ＰＳ２の認証鍵の情報を識別情報と対応付けてメモリ（本例では、記憶領域１３）に記憶する機能により基地局認証鍵記憶手段が構成されており、ＰＳ２の認証鍵の情報や自装置で生成した乱数の情報を用いて所定の演算を行う機能により基地局演算手段が構成されており、当該演算結果（本例では、認証鍵演算結果）の情報をＰＳ２の識別情報と対応付けてメモリ（本例では、拡張された記憶領域１４）に記憶する機能により基地局演算結果記憶手段が構成されており、発信時又は着信時にＰＳ２から演算結果の情報を受信する機能により通信時受信手段が構成されており、ＰＳ２から受信した演算結果の情報と当該ＰＳ２に対応付けて記憶された演算結果の情報を参照して当該ＰＳ２の認証処理を行う機能により認証手段が構成されており、秘匿鍵の情報を用いて暗号化通信を行う機能により基地局通信手段が構成されている。
【００６４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６５】
【図１】本発明の一実施例に係る無線内線電話システムの構成例を示す図である。
【図２】ＣＳやＰＳに記憶されるデータの一例を示す図である。
【図３】ＰＳとサーバが通信する際のプロトコルの一例を示す図である。
【図４】ＰＳとサーバが通信する際のプロトコルの他の一例を示す図である。
【図５】ＣＳ及びＰＳの構成例を示す図である。
【図６】位置登録処理のシーケンスの一例を示す図である。
【図７】位置登録処理のフローの一例を示す図である。
【図８】通常の認証処理のフローの一例を示す図である。
【図９】（ａ）、（ｂ）、（ｃ）はＣＳからＰＳへの報知の動作の一例を示す図である。
【図１０】高速発信処理のシーケンスの一例を示す図である。
【図１１】高速着信処理のシーケンスの一例を示す図である。
【図１２】高速発信の認証処理のフローの一例を示す図である。
【図１３】高速データ呼設定の電文フォーマットの一例を示す図である。
【図１４】高速データ呼設定受付の電文フォーマットの一例を示す図である。
【図１５】従来の無線内線電話システムの一例を示す図である。
【図１６】ＰＳとサーバが通信する際のプロトコルの一例を示す図である。
【図１７】ＣＳ及びＰＳの構成例を示す図である。
【図１８】位置登録処理のシーケンスの一例を示す図である。
【図１９】位置登録処理のフローの一例を示す図である。
【図２０】発信処理のシーケンスの一例を示す図である。
【図２１】着信処理のシーケンスの一例を示す図である。
【符号の説明】
【００６６】
１、１０１・・基地局装置（ＣＳ）、  ２、１０２・・移動局装置（ＰＳ）、  ３、１０４・・ＩＰネットワーク（ＬＡＮ）、  １１、２１、１１１、１２１・・ＲＦ（無線モジュール）、  １２、２２、１１２、１２２・・制御プログラム  １、３、２３、１１３、１２３・・記憶領域、  １４、２４・・拡張された記憶領域、  １０３・・ＩＳＤＮルータ、
【図１】
2008306282.tif 000003
【図２】
2008306282.tif 000004
【図３】
2008306282.tif 000005
【図４】
2008306282.tif 000006
【図５】
2008306282.tif 000007
【図６】
2008306282.tif 000008
【図７】
2008306282.tif 000009
【図８】
2008306282.tif 000010
【図９】
2008306282.tif 000011
【図１０】
2008306282.tif 000012
【図１１】
2008306282.tif 000013
【図１２】
2008306282.tif 000014
【図１３】
2008306282.tif 000015
【図１４】
2008306282.tif 000016
【図１５】
2008306282.tif 000017
【図１６】
2008306282.tif 000018
【図１７】
2008306282.tif 000019
【図１８】
2008306282.tif 000020
【図１９】
2008306282.tif 000021
【図２０】
2008306282.tif 000022
【図２１】
2008306282.tif 000023